(57)【特許請求の範囲】
【請求項１】
発熱する設備が設置されることで、一部に特異温度領域が生じる空間の、温度を調整する空気調和システムであって、
送風方向を調整可能な送風口を少なくとも１つ備えた空気調和機と、
前記設備の発熱の影響を受けて変化する、前記空間内の温度を代表する特定位置に設置される、少なくとも１つのターゲットプレートと、
該ターゲットプレートの温度を検出する少なくとも１台の非接触温度センサと、
該非接触温度センサにより検出される前記ターゲットプレートの温度に基づいて、前記空気調和機の動作を制御する制御部と、を含み、
前記少なくとも１つのターゲットプレートは、前記設備の特に高温となる部位からの熱の放射の影響を抑制するために、熱反射率の高い材料からなる塗装又はカバーが一部に施されたターゲットプレートを含むことを特徴とする空気調和システム。
【発明の詳細な説明】
【技術分野】
【０００１】
本発明は、空気調和システムに関するものであり、特に、発熱する設備が設置されることで、一部に特異温度領域が生じる空間の、温度を調整する空気調和システムに関するものである。
【背景技術】
【０００２】
従来から、対象空間の温度や湿度等を調整する空気調和機や空気調和システムとして、無駄を省いて効率的に調整を行うための様々な発明が提案されている。例えば、特許文献１には、空調対象空間に人が存在するか否かを判定する閾値を、空調対象空間の温度、湿度及び照度等の環境の変化に基づいて補正することで、人感センサーの検知結果のばらつきを抑制する空気調和システムが開示されている。又、特許文献２には、空調対象空間を撮像した可視画像をリモコン等に表示し、可視画像に基づいて指定された領域を重点座標として、重点座標の情報に基づいて空調能力を制御することで、消費電力を抑えながら快適な空調環境を実現する空気調和機が開示されている。
【先行技術文献】
【特許文献】
【０００３】
【特許文献１】国際公開第２０１４／０９１５３７号
【特許文献２】国際公開第２０１１／０１６２２５号
【発明の概要】
【発明が解決しようとする課題】
【０００４】
しかしながら、上述した空気調和システム及び空気調和機は、何れも、空調対象空間として住宅の居室や事務所等を想定したものであり、空調対象空間に存在する人間や物体の温度を検出し、検出した温度に基づいて空調対象空間の温度を調整するものである。このため、例えば、様々な設備が設置された工場を空調対象として、工場内の設備に発熱する設備が含まれる場合、その設備の温度を検出して温度調整を行うと、過大調整になってエネルギーを無駄に消費してしまう。特に、金属加工等を行う生産工場では、加工機、溶接機、乾燥炉等、著しく高温になる設備が存在するため、これらの設備の影響を考慮して温度調整を行う必要がある。
【０００５】
本発明は上記課題に鑑みてなされたものであり、その目的とするところは、一部に特異温度領域が生じる空間の温度を、効率よく調整することにある。
【課題を解決するための手段】
【０００６】
（発明の態様）
以下の発明の態様は、本発明の構成を例示するものであり、本発明の多様な構成の理解を容易にするために、項別けして説明するものである。各項は、本発明の技術的範囲を限定するものではない。そのため、発明を実施するための最良の形態を参酌しつつ、各項の構成要素の一部を置換し、削除し、又は、更に他の構成要素を付加したものについても、本願発明の技術的範囲に含まれ得るものである。
【０００７】
（１）発熱する設備が設置されることで、一部に特異温度領域が生じる空間の、温度を調整する空気調和システムであって、送風方向を調整可能な送風口を少なくとも１つ備えた空気調和機と、前記設備の発熱の影響を受けて変化する、前記空間内の温度を代表する特定位置に設置される、少なくとも１つのターゲットプレートと、該ターゲットプレートの温度を検出する少なくとも１台の非接触温度センサと、該非接触温度センサにより検出される前記ターゲットプレートの温度に基づいて、前記空気調和機の動作を制御する制御部と、を含み、前記少なくとも１つのターゲットプレートは、前記設備の特に高温となる部位からの熱の放射の影響を抑制するために、熱反射率の高い材料からなる塗装又はカバーが一部に施されたターゲットプレートを含む空気調和システム（請求項１）。
【０００８】
本項に記載の空気調和システムは、非接触温度センサにより、上記のような特定位置に設置されたターゲットプレートの温度を検出することで、設備の発熱の影響を適度に受けて変化する温度を、空間内を代表する温度として取得する。これにより、空間内を代表する適切な温度に基づいて、設備の発熱の影響を外乱として直に受けることなく、空間の温度調整を行うこととなるため、過大な温度調整が防止され、空間の温度が効率よく調整されるものである。
【０００９】
（２）上記（１）項において、前記空間に前記発熱する設備を含む複数の設備が設置され、前記ターゲットプレートを複数備える空気調和システム。
（３）上記（２）項において、前記空気調和機が前記送風口を複数備え、該送風口毎に風量が調整される空気調和システム。
（４）上記（３）項において、前記非接触温度センサが複数台設置される空気調和システム。
【発明の効果】
【００１０】
本発明はこのように構成したので、一部に特異温度領域が生じる空間の温度を、効率よく調整することが可能となる。
【図面の簡単な説明】
【００１１】
【図１】本発明の実施の形態に係る空気調和システムの構成の一例を示すブロック図である。
【図２】本発明の実施の形態に係る空気調和システムの、第１の実施例を概略的に示すイメージ図である。
【図３】本発明の実施の形態に係る空気調和システムの、第２の実施例を概略的に示すイメージ図である。
【図４】本発明の実施の形態に係る空気調和システムの、第３の実施例を概略的に示すイメージ図である。
【図５】本発明の実施の形態に係る空気調和システムの、第４の実施例を概略的に示すイメージ図である。
【発明を実施するための形態】
【００１２】
以下、本発明の実施の形態を図面に基づき説明する。ここで、図面の全体にわたって、同一部分は同一符号で示している。
図１は、本発明の実施の形態に係る空気調和システム１０の構成を概略的に示している。図示のように、空気調和システム１０は、少なくとも１つの送風口１４（１４ａ、１４ｂ）を備えた空気調和機１２と、少なくとも１台の非接触温度センサ１６（１６ａ、１６ｂ）と、少なくとも１つのターゲットプレート１８（１８ａ、１８ｂ、１８ｃ）と、制御部２０とを含んでいる。又、空気調和システム１０は、例えば、発熱する設備を含む複数の設備が設置された空間Ｓ（図２〜図５参照）の、温度調整を行うものである。空気調和機１２は、冷媒を利用して熱交換を行うことで、温度調整された冷風や温風を吹き出すものであり、所謂エアコンと呼ばれるものである。空気調和機１２の送風口１４は、送風方向と吹き出される風量とが、各送風口１４ａ、１４ｂで独立して制御されるものである。
【００１３】
非接触温度センサ１６は、非接触温度センサ１６から離れた位置に設置されるターゲットプレート１８の温度を、非接触で遠隔測定するものであり、温度検出対象までの距離を調整可能な、可動焦点型のものが用いられる。本発明の実施の形態に係る空気調和システム１０では、非接触温度センサ１６として、これに限定されるものではないが、焦点レーザー機能付きの赤外線放射センサが用いられる。又、図１の例では、２つの非接触温度センサ１６ａ、１６ｂのうち、一方の非接触温度センサ１６ａが、２つのターゲットプレート１８ａ、１８ｂの温度を検出するように設置され、他方の非接触温度センサ１６ｂが、残り１つのターゲットプレート１８ｃの温度を検出するように設置される。このため、少なくとも非接触温度センサ１６ａには、２つのターゲットプレート１８ａ、１８ｂの各々に焦点が合わせられるように、ターゲットプレート１８ａ、１８ｂが設置された２つの方向の間に焦点方向を振るような、スイング機構が付加される。又、２つのターゲットプレート１８ａ、１８ｂの温度を検出する非接触温度センサ１６ａは、例えば、設備の稼働状況等に応じて一方のターゲットプレート１８を選択して温度を検出する、或いは、双方のターゲットプレート１８の温度を順に検出する。又、非接触温度センサ１６の各々は、検出した温度を制御部２０へ送信するように、制御部２０とデータ通信可能に接続される。
【００１４】
ターゲットプレート１８は、空気調和システム１０が空調対象とする空間Ｓ内に設定された、空間Ｓ内の温度を代表する特定位置に設置される。この特定位置は、設備の発熱の影響を全く受けない位置や、設備の発熱の影響を過度に受ける位置ではなく、設備の発熱の影響を適度に受けて温度が変化する、空間Ｓ内の温度を代表する適切な位置に設定される。図１の例では、このような特定位置が空間Ｓ内に３箇所設定され、各特定位置にターゲットプレート１８ａ〜１８ｃが設置される。ターゲットプレート１８は、設置位置周辺の雰囲気温度を正確に反映するように、熱伝導率が高く、かつ、非接触温度センサ１６により温度を検出し易い材料で形成される。非接触温度センサ１６が赤外線放射センサである場合には、ターゲットプレート１８は、例えば、黒いプラスチックのプレート（０．５ｍｍ厚以上）等で形成される。他の黒い材料でもよいが、その材料に適した放射率を赤外線放射センサで選択する必要がある。
【００１５】
又、ターゲットプレート１８は、非接触温度センサ１６が赤外線放射センサである場合、その赤外線放射センサの性能（距離計数）と、センサからターゲットプレート１８までの距離とに応じて、適切に温度が検出可能な面積の主面を備えた板状に形成される。そして、各ターゲットプレート１８は、そのターゲットプレート１８の温度を検出するように設置された非接触温度センサ１６の方向へ主面を向けて、各特定位置に設置される。又、ターゲットプレート１８は、例えば、発熱する設備の特に高温となる部位の近傍に設置される場合には、ターゲットプレート１８の、設備の高温部位側の部分（裏面や側部等）に、高温部位からの熱の放射の影響を抑制するような、熱反射率の高い材料からなる塗装やカバー等が施される。
【００１６】
制御部２０は、非接触温度センサ１６により検出されるターゲットプレート１８の温度に基づいて、空気調和機１２の動作を制御するものであり、空気調和機１２と接続されて設置される。又、必要に応じ、各設備３０（図２〜図５参照）の運転の有無に関する情報を、各設備３０の制御部から受信することとしてもよい。図１の例において、制御部２０は、一方の非接触温度センサ１６ａにより検出された２つのターゲットプレート１８ａ、１８ｂの温度に基づいて、空気調和機１２の一方の送風口１４ａの送風方向及び風量を制御する。例えば、非接触温度センサ１６ａにより２つのターゲットプレート１８ａ、１８ｂの温度を順に検出する場合、制御部２０は、検出された２つの温度の平均値を算出する。そして、算出した平均温度が予め設定された目標温度に近づくように、空気調和機１２の送風口１４ａを、２つのターゲットプレート１８ａ、１８ｂが設置された領域へ向ける共に、送風口１４ａから吹き出す風量を調整する。又、制御部２０は、もう一方の非接触温度センサ１６ｂにより検出された残り１つのターゲットプレート１８ｃの温度に基づいて、空気調和機１２の他方の送風口１４ｂの送風方向及び風量を制御する。例えば、ターゲットプレート１８ｃの温度が予め設定された目標温度に近づくように、空気調和機１２の送風口１４ｂを、ターゲットプレート１８ｃが設置された領域へ向ける共に、送風口１４ｂから吹き出す風量を調整する。制御部２０は、例えば、動力回路や制御回路等を含む制御盤として、空気調和機１２の近傍に設置される。
【００１７】
続いて、図２〜図５を参照して、本発明の実施の形態に係る空気調和システム１０の、第１〜第４の４つの実施例について説明する。各実施例については、他の実施例と異なる点を中心にして説明する。なお、４つの実施例は、何れの場合も、生産用の４台の設備３０（３０ａ〜３０ｄ）が設置されると共に作業員Ｐが作業を行う空間Ｓを空調対象としたものであり、設備３０ｃは、特に高温となる部位３２を有している。又、非接触温度センサ１６（１６ａ、１６ｂ）として赤外線放射センサを用いており、少なくとも第２〜第４の実施例では、スイング機構が付加された焦点可動型の赤外線放射センサを用いている。
まず、図２に示された第１の実施例において、空気調和システム１０は、送風口１４を１つ備えた空気調和機１２と、１台の非接触温度センサ１６と、１つのターゲットプレート１８と、制御部２０とで構成されている。
【００１８】
ターゲットプレート１８は、設備３０ｃの特に高温となる部位３２の発熱の影響を、適度に受けて温度が変化する、空間Ｓ内の温度を代表する適切な特定位置に、非接触温度センサ１６の方向へ主面を向けて設置されている。この際、ターゲットプレート１８の、設備３０ｃの高温部位３２側の部分に、熱反射率の高い材料からなる塗装やカバー等を施す場合は、それらの熱放射軽減の効果を考慮して、ターゲットプレート１８の設置位置を決定する。又、ターゲットプレート１８は、空間Ｓの床面の温度の影響を受けないように、床面に立設されたポール上に取り付けられている。この際、ポールを介して床面の温度がターゲットプレート１８に伝わらないように、例えば、熱伝導率が低い材料で形成されたポールを用いてもよく、或いは、ターゲットプレート１８とポールとの間に断熱材を付加してもよい。なお、後述する第２〜第４の実施例においても、ターゲットプレート１８（１８ａ〜１８ｃ）は、上記のようにポール上に取り付けられている。
【００１９】
非接触温度センサ１６は、ターゲットプレート１８の温度を検出するように、ターゲットプレート１８が設置された方向へ向けて、ターゲットプレート１８に焦点を合わせて設置されている。なお、図２では、非接触温度センサ１６が空気調和機１２及び制御部２０の近傍に設置されているが、ターゲットプレート１８の温度を適切に検出し、かつ、検出した温度を制御部２０へ送信できる位置であれば、非接触温度センサ１６の設置位置は任意である。
制御部２０は、非接触温度センサ１６により検出されたターゲットプレート１８の温度が、予め設定された空間Ｓ内の目標温度になるように、空気調和機１２を制御する。例えば、制御部２０は、空気調和機１２の送風口１４の送風方向を左右方向にスイングさせながら、送風口１４から吹き出す風量を調整する。
【００２０】
次に、図３に示された第２の実施例について説明する。第２の実施例では、空間Ｓに設置された４台の設備３０ａ〜３０ｄのうち、設備３０ａ及び３０ｂのみが稼働する状況と、設備３０ｃ及び３０ｄのみが稼働する状況と、設備３０ａ〜３０ｄの全てが稼働する状況との、３パターンの稼働状況が発生するものとする。そして、これらの稼働状況が考慮され、第２の実施例における空気調和システム１０は、ターゲットプレート１８として、以下のような位置に設置された３つのターゲットプレート１８ａ〜１８ｃを含んでいる。すなわち、ターゲットプレート１８ａは、設備３０ｃ及び３０ｄの発熱の影響（高温部位３２の発熱の影響も含む）を適度に受けて温度が変化する、空間Ｓ内の温度を代表する１つ目の特定位置に設置されている。又、ターゲットプレート１８ｂは、設備３０ａ〜３０ｄの発熱の影響（高温部位３２の発熱の影響も含む）を適度に受けて温度が変化する、空間Ｓ内の温度を代表する２つ目の特定位置に設置されている。更に、ターゲットプレート１８ｃは、設備３０ａ及び３０ｂの発熱の影響を適度に受けて温度が変化する、空間Ｓ内の温度を代表する３つ目の特定位置に設置されている。又、各ターゲットプレート１８は、非接触センサ１６の方向へ主面を向けて設置されている。
【００２１】
一方、非接触センサ１６は、３つのターゲットプレート１８ａ〜１８ｃの温度を検出するために、全てのターゲットプレート１８が設置された方向を含む、非接触センサ１６の設置位置を中心とした平面視で扇状を描く範囲を焦点移動するように、スイング可能に設置されている。更に、非接触センサ１６は、設備３０ａ〜３０ｄの稼働状況に応じて、３つのターゲットプレート１８ａ〜１８ｃの中から、温度を検出するターゲットプレート１８を選択し、選択したターゲットプレート１８の温度を検出する。すなわち、非接触センサ１６は、設備３０ａ及び３０ｂのみが稼働している状況では、これらの設備３０ａ及び３０ｂの発熱の影響を適度に受けて温度が変化する特定位置に設置されている、ターゲットプレート１８ｃを選択して、温度を検出する。又、設備３０ｃ及び３０ｄのみが稼働している状況では、ターゲットプレート１８ａを選択して温度を検出し、設備３０ａ〜３０ｄの全てが稼働している状況では、ターゲットプレート１８ｂを選択して温度を検出する。なお、非接触センサ１６の上記のような動作を、制御部２０によって制御することとしてもよい。
【００２２】
他方、制御部２０は、設備３０ａ〜３０ｄの稼働状況に応じて、又、非接触センサ１６により選択されたターゲットプレート１８の温度に基づいて、空気調和機１２の動作を制御する。すなわち、本実施例の制御部２０は、各設備３０の運転の有無に関する情報を、各設備３０の制御部（図示省略）から受信する。そして、その受信情報に基づき、例えば、設備３０ａ及び３０ｂのみが稼働していると判定した場合、制御部２０は、他の設備３０ｃ及び３０ｄは稼働しておらず、更に、設備３０ｃ及び３０ｄの近傍に作業員Ｐはいないと判断する。そして、設備３０ａ及び３０ｂのみが稼働している状況の際に非接触センサ１６により検出されるターゲットプレート１８ｃの温度が、予め設定された空間Ｓ内の目標温度になるように、空気調和機１２の動作を制御する。特に、設備３０ａ及び３０ｂが設置されたターゲットプレート１８ｃの周辺領域に対して重点的に、空気調和機１２の送風口１４を向けながら、空気調和機１２の風量を調整する。
【００２３】
同様に、制御部２０は、設備３０ｃ及び３０ｄのみが稼働していると判定した場合、ターゲットプレート１８ａの温度が目標温度になるように、設備３０ｃ及び３０ｄが設置されたターゲットプレート１８ａの周辺領域に対して重点的に、空気調和機１２の送風口１４を向けるように制御する。又、設備３０ａ〜３０ｄの全てが稼働していると判定した場合、ターゲットプレート１８ｂの温度が目標温度になるように、ターゲットプレート１８ｂ及び設備３０ａ〜３０ｄが設置された全ての領域に対して、空気調和機１２の送風口１４を向けながら、空気調和機１２の風量を調整する。
なお、制御部２０が、各設備３０の運転の有無に関する情報を受信することなく、各ターゲットプレート１８ａ〜１８ｃの温度を非接触センサ１６により常時検出し、空間Ｓを適切な温度に調整するように、各ターゲットプレート１８ａ〜１８ｃの周辺領域に対する、空気調和機１２の風量を適宜調整することとしてもよい。
【００２４】
続いて、図４を参照して、第３の実施例における空気調和システム１０は、空気調和機１２が、送風方向及び風量を独立して調整可能な３つの送風口１４ａ〜１４ｃを備えている。３つのターゲットプレート１８ａ〜１８ｃは、夫々、空間Ｓ内の温度を代表する３つの特定位置に設置されている。そして、非接触温度センサ１６は、所定のタイミングで、３つのターゲットプレート１８ａ〜１８ｃの温度を、順に検出する。制御部２０は、３つのターゲットプレート１８ａ〜１８ｃの夫々の温度に基づいて、空気調和機１２の各送風口１４の送風方向及び風量を制御する。すなわち、制御部２０は、ターゲットプレート１８ａの温度が、空間Ｓ内の所定の目標温度になるように、空気調和機１２の送風口１４ａの送風方向を、主にターゲットプレート１８ａの周辺領域へ向けると共に、送風口１４ａからの風量を制御する。同時に、制御部２０は、ターゲットプレート１８ｂ及び１８ｃの各温度が、空間Ｓ内の所定の目標温度になるように、送風口１４ｂ及び１４ｃの送風方向を、主にターゲットプレート１８ｂ及び１８ｃの夫々の周辺領域へ向けると共に、送風口１４ｂ及び１４ｃからの風量を制御する。なお、３つのターゲットプレート１８ａ〜１８ｃの周辺領域毎に、異なる目標温度が設定されることで、ターゲットプレート１８ａ〜１８ｃの夫々が、設定された目標温度になるように、制御部２０により空気調和機１２の各送風口１４を制御してもよい。又、必要に応じて、２つ以上の送風口１４が、１つのターゲットプレート１８の周辺領域へ向いて、送風を行うこととしてもよい。
【００２５】
次に、図５に示された第４の実施例において、空気調和システム１０は、２つの非接触温度センサ１６ａ及び１６ｂを備えている。そして、２つの非接触温度センサ１６ａ及び１６ｂの各々は、異なるターゲットプレート１８の温度を検出するように設置されている。すなわち、非接触温度センサ１６ａは、ターゲットプレート１８ａ及び１８ｂの温度を検出するように設置され、非接触温度センサ１６ｂは、ターゲットプレート１８ｃの温度を検出するように設置されている。又、制御部２０は、非接触温度センサ１６ａにより検出されたターゲットプレート１８ａ及び１８ｂの温度に基づいて、空気調和機１２の２つの送風口１４ａ及び１４ｂの送風方向及び風量を制御する。この際、制御部２０は、ターゲットプレート１８ａ及び１８ｂの温度の平均値を算出する。そして、算出した平均温度が空間Ｓ内の所定の目標温度になるように、ターゲットプレート１８ａ及び１８ｂの双方の周辺領域に、送風口１４ａ及び１４ｂの双方の送風方向を向け、送風口１４ａ及び１４ｂからの風量を制御する。更に、制御部２０は、非接触温度センサ１６ｂにより検出されたターゲットプレート１８ｃの温度が、空間Ｓ内の所定の目標温度になるように、ターゲットプレート１８ｃの周辺領域へ送風口１４ｃの送風方向を向け、送風口１４ｃからの風量を制御する。
【００２６】
さて、上記構成をなす本発明の実施の形態によれば、次のような作用効果を得ることが可能である。すなわち、本発明の実施の形態に係る空気調和システム１０は、例えば図２に示すように、金属加工を行う設備や加工対象物を加熱する設備等の、発熱する設備３０が設置されることで、一部に特異温度領域が生じる空間Ｓの温度を調整するものである。ここで、特異温度領域とは、周辺の別の領域と比較して明らかに高温であるような、局所的に温度が異なる領域を示しており、上述した発熱する設備３０の影響によって、その設備３０の近傍の温度が上昇することで生じるものである。図２の例では、特に、設備３０ｃの高温部位３２の周囲領域が、特異温度領域に相当する。又、空気調和システム１０は、図１及び図２で確認できるように、空気調和機１２、少なくとも１つのターゲットプレート１８、少なくとも１台の非接触温度センサ１６、及び、制御部２０を含むものである。
【００２７】
空気調和機１２は、送風方向を調整可能な送風口１４を少なくとも１つ備えており、送風口１４から温度が調整された冷風や温風を吹き出すものである。又、ターゲットプレート１８は、設備３０の発熱の影響を受けて変化する、空間Ｓ内の温度を代表する特定位置に設置されるものである。すなわち、発熱する設備３０の周囲の環境や空間の広さ等の、空間Ｓの温度に影響を与える要因を適宜考慮して、設備３０の発熱の影響を適度に受けて温度が変化する位置を、空間Ｓ内の温度を代表する特定位置として設定する。そして、その特定位置にターゲットプレート１８を設置する。このため、例えば、発熱する設備３０に接触する位置、設備３０の発熱の影響を過度に受ける位置、或いは、設備３０の発熱の影響を全く受けない位置等は、ターゲットプレート１８を設置する特定位置から除外される。
【００２８】
又、非接触温度センサ１６は、非接触温度センサ１６から離れた位置に設置されるターゲットプレート１８の温度を、非接触で検出するものであり、例えば、空気調和機１２が備える送風口１４の数やターゲットプレート１８の設置数に応じて、設置台数が決定される。又、制御部２０は、非接触温度センサ１６により検出されるターゲットプレート１８の温度に基づいて、空気調和機１２の動作を制御するものである。例えば、空間Ｓ内の温度を代表する特定位置に設置されたターゲットプレート１８の温度が、予め設定された空間Ｓ内の目標温度になるように、空気調和機１２の送風方向や風量を制御する。
【００２９】
すなわち、本発明の実施の形態に係る空気調和システム１０は、非接触温度センサ１６により、上記のような特定位置に設置されたターゲットプレート１８の温度を検出することで、設備３０の発熱の影響を適度に受けて変化する温度を、空間Ｓ内を代表する温度として取得することができる。これにより、空間Ｓ内を代表する適切な温度に基づいて、設備３０の発熱の影響を外乱として直に受けることなく、空間Ｓの温度調整を行うことができるため、過大な温度調整を防止することができ、空間Ｓの温度を効率よく調整することが可能となる。
【００３０】
又、本発明の実施の形態に係る空気調和システム１０は、図３に示すように、発熱する設備３０を含む複数の設備３０が設置された空間Ｓを空調対象とし、この空間Ｓ内の温度を代表する特定位置を複数設定すると共に、複数のターゲットプレート１８の各々を各特定位置に設置するものである。このため、非接触温度センサ１６は、例えば、複数の設備３０の稼働状況等に応じて、複数のターゲットプレート１８の中から特定のターゲットプレート１８を選択して温度を検出してもよく、或いは、複数のターゲットプレート１８の温度を順に検出してもよい。特定のターゲットプレート１８を選択する場合は、例えば、複数のターゲットプレート１８の中から、現在稼働している設備３０の発熱の影響を反映して、空間Ｓ内を代表する適切な温度となる特定位置に設置されたターゲットプレート１８を選択する。
【００３１】
図３の例では、空間Ｓに４つの設備３０ａ〜３０ｄが設置されており、ターゲットプレート１８として３つのターゲットプレート１８ａ〜１８ｃが設置されている。そして、非接触温度センサ１６は、設備３０ａ及び３０ｂのみが稼働している状況では、それら稼動中の設備の発熱の影響を反映して、空間Ｓ内を代表する適切な温度となる特定位置に設置された、ターゲットプレート１８ｃを選択する。又、設備３０ｃ及び３０ｄのみが稼働している状況では、それら稼動中の設備の発熱の影響を反映して、空間Ｓ内を代表する適切な温度となる特定位置に設置された、ターゲットプレート１８ａを選択する。更に、設備３０ａ〜３０ｄの全てが稼働している状況では、それら稼動中の設備の発熱の影響を反映して、空間Ｓ内を代表する適切な温度となる特定位置に設置された、ターゲットプレート１８ｂを選択する。これにより、複数の設備３０の稼働状況に対応して、更に効率よく温度調整を行うことが可能となる。
【００３２】
一方、非接触温度センサ１６により複数のターゲットプレート１８の温度を順に検出する場合は、制御部２０により、それらの温度の平均値を空間Ｓ内の代表温度として算出し、算出した温度に基づいて温度調整を行ってもよい。或いは、制御部２０により、複数のターゲットプレート１８の温度の中から、空気調和機１２の冷房運転時には最も高い温度を選択し、暖房運転時には最も低い温度を選択して、選択した温度を空間Ｓ内の代表温度として利用してもよい。これにより、複数のターゲットプレート１８が設置された複数の領域の温度を考慮しながら、温度調整を行うことができる。
【００３３】
又、本発明の実施の形態に係る空気調和システム１０は、図４に示すように、空気調和機１２が、送風方向及び風量を調整可能な送風口１４を複数備えることで、送風口１４毎に送風方向及び風量が制御されるものである。これにより、例えば、以下のような制御が行われる。すなわち、複数の送風口１４の各々を、複数のターゲットプレート１８が設置された異なる領域へ向けることで、複数のターゲットプレート１８の各々の温度に基づいて、各ターゲットプレート１８が設置された領域の温度調整を、領域毎に同時に行う。又、複数のターゲットプレート１８の中から、空間Ｓの目標温度と最も離れた温度が検出されたターゲットプレート１８を選択し、選択したターゲットプレート１８が設置された領域へ向けて、空気調和機１２の全ての送風口１４から送風を行う。或いは、１つ以上の送風口１４を、特定のターゲットプレート１８が設置された領域へ向けて固定し、残りの送風口１４をスイングさせながら複数の領域へ向ける。このように、ターゲットプレート１８が設置された複数の領域に柔軟に対応して、温度調整を行うことが可能となる。
【００３４】
更に、本発明の実施の形態に係る空気調和システム１０は、図５に示すように、非接触温度センサ１６が複数台設置されてもよく、この場合に、複数のターゲットプレート１８の各々は、複数の非接触温度センサ１６の何れか１台により温度が検出される。これにより、温度検出の対象である複数のターゲットプレート１８を複数の非接触温度センサ１６間で分担しながら、より多くのターゲットプレート１８を設置することができる。又、制御部２０は、複数の非接触温度センサ１６により検出された温度に基づいて、空気調和機１２の複数の送風口１４の送風方向及び風量を制御する。この際、空気調和機１２の各送風口１４を、複数の非接触温度センサ１６の何れか１台に対応させ、各非接触温度センサ１６により検出した温度に基づいて、その非接触温度センサ１６に対応した送風口１４の送風方向及び風量を制御してもよい。これにより、複数のターゲットプレート１８の温度を効率よく検出しながら、温度調整を行うことができる。
【００３５】
なお、生産工場等の広大な空間では、通常、空気調和機が複数台設置される。このため、そのような空間に本発明を適用する場合は、例えば、図１〜図５に示したような、本発明の実施の形態に係る空気調和システム１０の構成を、複数設置すればよい。この際、各空気調和システム１０に含まれることで、空間内に複数設置されることとなる制御部２０を、一括して制御するような制御装置を設置してもよい。このようにすることで、例えば、広大な空間に設置された様々な設備の稼働状況に応じて、各空気調和システム１０に含まれる空気調和機１２の動作を、統括的に制御することができる。
【符号の説明】
【００３６】
１０：空気調和システム、１２：空気調和機、１４（１４ａ、１４ｂ、１４ｃ）：送風口、１６（１６ａ、１６ｂ）：非接触温度センサ、１８（１８ａ、１８ｂ、１８ｃ）：ターゲットプレート、２０：制御部、３０（３０ａ、３０ｂ、３０ｃ、３０ｄ）：設備、Ｓ：空間
【図１】
0006471866.tif 000002
【図２】
0006471866.tif 000003
【図３】
0006471866.tif 000004
【図４】
0006471866.tif 000005
【図５】
0006471866.tif 000006